(57)【要約】【課題】加熱用配線のコーナー部の発熱を抑制することができる液晶シャッタ、およびこれを備えたカメラモジュールを提供する。【解決手段】透光性を有する第１基板１０と、透光性を有しかつ第１基板１０に対向配置される第２基板２０と、第１基板１０と第２基板２０との間に狭持された液晶材ＬＣと、液晶材ＬＣに電圧を印加するためのシャッタ用電極４０と、液晶材ＬＣに熱を供給するための加熱用配線５０とを備えた液晶シャッタＸ１であって、加熱用配線５０は、平面視においてコーナー部５０Ａを有しており、加熱用配線５０のコーナー部５０Ａの上面には、当該加熱用配線５０が有する電気伝導率よりも大きい電気伝導率を有する金属部材Ｍが設けられている。【選択図】図２
2010276826.tif 000002
【特許請求の範囲】
【請求項１】
透光性を有する第１基板と、透光性を有しかつ前記第１基板に対向配置される第２基板と、前記第１基板と前記第２基板との間に狭持された液晶材と、前記液晶材に電圧を印加するためのシャッタ用電極と、前記液晶材に熱を供給するための加熱用配線とを備えた液晶シャッタであって、
前記加熱用配線は、平面視においてコーナー部を有しており、
前記加熱用配線のコーナー部の上面には、当該加熱用配線が有する電気伝導率よりも大きい電気伝導率を有する導電部材が設けられている、液晶シャッタ。
【請求項２】
前記加熱用配線のコーナー部の上面は、内側領域と、前記内側領域よりも外側に位置する外側領域とを有し、
前記加熱用配線のコーナー部の上面における外側領域には、複数の前記導電部材がドット状に設けられている、請求項１に記載の液晶シャッタ。
【請求項３】
前記加熱用配線のコーナー部の上面における内側領域には、複数の前記導電部材がドット状に設けられており、
前記加熱用配線のコーナー部の上面における外側領域に設けられた前記導電部材の数は、前記加熱用配線のコーナー部の上面における内側領域に設けられた前記導電部材の数よりも多い、請求項２に記載の液晶シャッタ。
【請求項４】
前記導電部材は、金属部材である、請求項１〜３のいずれか一項に記載の液晶シャッタ。
【請求項５】
前記金属部材は、アルミニウム膜、アルミニウム合金膜、クロム膜とアルミニウム膜との積層膜、またはクロム膜とアルミニウム合金膜との積層膜である、請求項４に記載の液晶シャッタ。
【請求項６】
透光性を有する第１基板と、透光性を有しかつ前記第１基板に対向配置される第２基板と、前記第１基板と前記第２基板との間に狭持された液晶材と、前記液晶材に電圧を印加するためのシャッタ用電極と、前記液晶材に熱を供給するための加熱用配線とを備えた液晶シャッタであって、
前記加熱用配線は、平面視においてコーナー部を有しており、
前記加熱用配線のコーナー部の上面は、内側領域と、前記内側領域よりも外側に位置する外側領域とを有し、
前記加熱用配線のコーナー部の上面における内側領域には、切欠部が形成されている、液晶シャッタ。
【請求項７】
前記加熱用配線のコーナー部の上面における内側領域には、複数の前記切欠部がドット状に形成されている、請求項６に記載の液晶シャッタ。
【請求項８】
前記加熱用配線は、第１抵抗膜と、前記第１抵抗膜上に積層された第２抵抗膜とを有し、
前記切欠部は、前記第２抵抗膜に形成されている、請求項６または７に記載の液晶シャッタ。
【請求項９】
光学レンズ系と、
前記光学レンズ系を通過した光が入射する請求項１〜８のいずれか一項に記載の液晶シャッタとを備える、カメラモジュール。
【発明の詳細な説明】
【技術分野】
【０００１】
本発明は、例えば、液晶に電圧を印加することにより透光と遮光との切り替えを行う液晶シャッタ、およびこれを備えたカメラモジュールに関する。
【背景技術】
【０００２】
液晶シャッタとしては、光学レンズ系等と組み合わせてカメラモジュールとして機能するものがあり、例えば、特許文献１に開示されている。
【０００３】
このようなカメラモジュールに採用されている液晶レンズでは、低温環境下における液晶の応答速度の低下を緩和するために、レンズ有効エリア外に液晶を直接加熱する加熱用配線（ヒーター配線）が設けられている。
【先行技術文献】
【特許文献】
【０００４】
【特許文献１】特開２００６−２０１２４３号公報
【発明の概要】
【発明が解決しようとする課題】
【０００５】
上記のカメラモジュールにおいて、加熱用配線が平面視コ字状のコーナー部を有する場合、このコーナー部において電流が集中し易くなるため、コーナー部の発熱量が大きくなる傾向にあった。具体的には、電流は抵抗値が小さい最短経路を流れようとするため、コーナー部の内側領域の発熱量が特に大きくなる傾向にあった。この結果、コーナー部において加熱用配線が劣化し易い傾向にあった。
【０００６】
本発明は、上記の問題点に鑑みてなされたものであり、その目的は、加熱用配線のコーナー部の発熱を抑制することができる液晶シャッタ、およびこれを備えたカメラモジュールに関する。
【課題を解決するための手段】
【０００７】
上記目的を達成するために本発明における液晶シャッタは、透光性を有する第１基板と、透光性を有しかつ前記第１基板に対向配置される第２基板と、前記第１基板と前記第２基板との間に狭持された液晶材と、前記液晶材に電圧を印加するためのシャッタ用電極と、前記液晶材に熱を供給するための加熱用配線とを備えた液晶シャッタであって、前記加熱用配線は、平面視においてコーナー部を有しており、前記加熱用配線のコーナー部の上面には、前記加熱用配線が有する電気伝導率よりも大きい電気伝導率を有する導電部材が設けられている。
【０００８】
上記目的を達成するために本発明における液晶シャッタは、透光性を有する第１基板と、透光性を有しかつ前記第１基板に対向配置される第２基板と、前記第１基板と前記第２基板との間に狭持された液晶材と、前記液晶材に電圧を印加するためのシャッタ用電極と、前記液晶材に熱を供給するための加熱用配線とを備えた液晶シャッタであって、前記加熱用配線は、平面視においてコーナー部を有しており、前記加熱用配線のコーナー部の上面は、内側領域と、前記内側領域よりも外側に位置する外側領域とを有し、前記加熱用配線のコーナー部の上面における内側領域には、切欠部が形成されている。
【０００９】
上記目的を達成するために本発明におけるカメラモジュールは、光学レンズ系と、前記光学レンズ系を通過した光が入射する本発明に係る液晶シャッタとを備える。
【発明の効果】
【００１０】
本発明の液晶シャッタ、およびこれを備えたカメラモジュールは、加熱用配線のコーナー部の発熱を抑制することができるという効果を奏する。
【図面の簡単な説明】
【００１１】
【図１】図１は、本発明の第１の実施形態に係る液晶シャッタの概略構成を示す平面図である。
【図２】図２は、図１に示す液晶シャッタを示す断面図であり、（ａ）は図１のＩａ−Ｉａ線に沿った断面図であり、（ｂ）は図１のＩｂ−Ｉｂ線に沿った断面図であり、（ｃ）は図１のＩｃ−Ｉｃ線に沿った断面図である。
【図３】図３は、図１に示す液晶シャッタの第１基板側の構成を示す平面図である。
【図４】図４は、図１に示す液晶シャッタの第２基板側の構成を示す平面図である。
【図５】図５は、図１に示す液晶シャッタを備えるカメラモジュールの概略構成を示す断面図である。
【図６】図６は、本発明の第２の実施形態に係る液晶シャッタの概略構成を示す平面図である。
【図７】図７は、図６に示す液晶シャッタを示す断面図であり、（ａ）は図６のＩＩａ−ＩＩａ線に沿った断面図であり、（ｂ）は図６のＩＩｂ−ＩＩｂ線に沿った断面図であり、（ｃ）は図６のＩＩｃ−ＩＩｃ線に沿った断面図である。
【図８】図８は、図６に示す液晶シャッタの第１基板側の構成を示す平面図である。
【図９】図９は、図６に示す液晶シャッタの第２基板側の構成を示す平面図である。
【発明を実施するための形態】
【００１２】
以下、本発明の実施形態について、図面を参照しながら説明する。
【００１３】
但し、以下で参照する各図は、説明の便宜上、本発明の一実施形態の構成部材のうち、本発明を説明するために必要な主要部材のみを簡略化して示したものである。したがって、本発明に係る液晶シャッタ、およびこれを備えたカメラモジュールは、本明細書が参照する各図に示されていない任意の構成部材を備え得る。また、各図中の部材の寸法は、実際の構成部材の寸法および各部材の寸法比率等を忠実に表したものではない。
【００１４】
[実施の形態１]
図１は、本発明の第１の実施形態に係る液晶シャッタＸ１の概略構成を示す平面図である。図２は、図１に示す液晶シャッタＸ１を示す断面図であり、（ａ）は図１のＩａ−Ｉａ線に沿った断面図であり、（ｂ）は図１のＩｂ−Ｉｂ線に沿った断面図であり、（ｃ）は図１のＩｃ−Ｉｃ線に沿った断面図である。
【００１５】
すなわち、本実施形態に係る液晶シャッタＸ１は、液晶材ＬＣと、第１基板１０と、第２基板２０と、封止部材３０と、シャッタ用電極４０と、加熱用配線５０と、配向膜６０，６１と、偏光素子７０，７１とを備えている。なお、図３は、図１に示す液晶シャッタＸ１の第１基板１０側の構成を示す平面図であり、図４は、図１に示す液晶シャッタＸ１の第２基板２０側の構成を示す平面図である。
【００１６】
液晶材ＬＣは、電気的、光学的、力学的、あるいは磁気的な異方性を示し、固体の規則性と液体の流動性を併せ持つ部材である。液晶材ＬＣを構成する液晶としては、ネマティック液晶、コレステリック液晶、スメクティック液晶等が挙げられるが、中でも応答速度の観点からスメクティック液晶に強誘電性機能を持たせた強誘電性液晶が好ましい。液晶材ＬＣの駆動方式としては、ＴＮ（Twisted Nematic）方式、ＶＡ（Virtical Alignment）方式、ＩＰＳ（In Plane Switching）方式、ＯＣＢ（Optically Compensated Bend）方式等が挙げられるが、中でも応答速度の観点からＯＣＢ方式が特に好ましい。
【００１７】
第１基板１０は、シャッタ用電極４０の一部、加熱用配線５０、配向膜６０、および偏光素子７０を支持するとともに、液晶材ＬＣを封止するのに寄与する部材である。第１基板１０は、その少なくとも一部が透光性を有する構造とされている。第１基板１０の構成材料としては、例えば、透光性ガラスあるいは透光性プラスチックが挙げられる。
【００１８】
第２基板２０は、シャッタ用電極４０の一部、配向膜６１、および偏光素子７１を支持するとともに、液晶材ＬＣを封止するのに寄与する部材である。第２基板２０は、その少なくとも一部が透光性を有する構造とされている。第２基板２０の構成材料としては、例えば、透光性ガラスあるいは透光性プラスチックが挙げられる。
【００１９】
封止部材３０は、第１基板１０と第２基板２０との間に液晶材ＬＣを封止するのに寄与する部材である。本実施形態において封止部材３０は、第１基板１０と第２基板２０とを所定間隔で離間した状態で接合する役割も担っている。封止部材３０の構成材料としては、例えば、絶縁性樹脂等の絶縁材料、あるいは導電性粒子を含有してなるシール樹脂等の導電性樹脂材料が挙げられる。
【００２０】
本実施形態において封止部材３０は、主体部３１および閉塞部３２を有している。主体部３１は、第１基板１０と第２基板２０との間における液晶材ＬＣの封止、および、第１基板１０と第２基板２０との接合を主体的に行う部位であり、第１基板１０と第２基板２０との間に液晶材ＬＣを注入するための注入口３１ａを有している。閉塞部３２は、注入口３１ａを塞ぐ役割を担うものである。本実施形態における主体部３１および閉塞部３２の構成材料としては、エポキシ系樹脂、アクリル系樹脂、アリル系樹脂等が挙げられるが、閉塞部３２の構成材料としては液晶と混合した状態における硬化性の観点からアリル系樹脂が特に好ましい。また、主体部３１と閉塞部３２との構成材料は異なる材料を採用してもよいが、表示ムラの発生を抑制する観点から同じ材料を採用するのが好ましい。
【００２１】
シャッタ用電極４０は、液晶材ＬＣに所定の電圧を印加する役割を担う部材であり、透光性を有する構造とされている。シャッタ用電極４０の構成材料としては、例えば、ＩＴＯ（Indium Tin Oxide）、あるいは酸化錫等の透光性導電部材が挙げられる。
【００２２】
本実施形態においてシャッタ用電極４０は、第１電極部４１と、第２電極部４２と、第１配線導体４３と、第２配線導体４４とを有している（図３および図４参照）。本実施形態において第１電極部４１は、第１基板１０の上面１０ａ側に位置しており、液晶シャッタとして有効に機能する範囲（以下、「シャッタ有効範囲」という）の略全体にわたって形成されている。本実施形態において第１電極部４１の平面視形状は、デットスペースを低減する観点から略矩形状とされているが、これには限られず、略円形状等でもよい。本実施形態において第２電極部４２は、第１電極部４１に対向するように第２基板２０の下面２０ａ側に位置しており、シャッタ有効範囲の略全体にわたって形成されている。本実施形態において第２電極部４２の平面視形状は、デットスペースを低減する観点から略矩形状とされているが、これには限られず、略円形状などでもよい。
【００２３】
本実施形態において第１配線導体４３は、ＡＢ方向に沿って延びるように第１基板１０の上面１０ａ側に形成されており、一端部が封止部材３０により取り囲まれた領域外に位置し、他端部が第１電極部４１と連結されている。本実施形態において第２配線導体４４は、ＡＢ方向に沿って延びるように第２基板２０の下面２０ａ側に形成されており、一端部が封止部材３０により取り囲まれた領域外に位置し、他端部が第２電極部４２と連結されている。また、本実施形態において第２配線導体４４の少なくとも一部は、加熱用配線５０に対向配置されている。このような構成によると、第２配線導体４４をより効果的に加熱することができるため、第２配線導体４４を介しての放熱を抑制することができる。
【００２４】
加熱用配線５０は、液晶材ＬＣに熱を供給する役割を担う部材である。本実施形態において加熱用配線５０は、平面視コ字状のコーナー部５０Ａを有する構成とされている。なお、本実施形態において加熱用配線５０は、平面視コ字状のコーナー部５０Ａを有する例について説明したが、これに限定されない。すなわち、加熱用配線５０は、加熱用配線５０の少なくとも一部が屈曲しているコーナー部を有していればよい。なお、本実施形態に言う「屈曲」とは、図３に示すように、平面視において、加熱用配線５０の一部が直角に折れ曲がっている態様のみならず、なめらかに湾曲しているような態様も含む意味である。
【００２５】
ここで、加熱用配線５０の構成材料としては、例えば、ＩＴＯ、銀（Ａｇ）、銅（Ｃｕ）、ニッケル（Ｎｉ）、タンタル（Ｔａ）、タングステン（Ｗ）、モリブデン（Ｍｏ）、アルミニウムネオジウム（ＡｌＮｄ）、銀パラジウム（ＡｇＰｄ）、銀パラジウム銅（ＡｇＰｄＣｕ）等が挙げられるが、中でも電源電流を低減する観点から、ＩＴＯが好ましい。本実施形態において加熱用配線５０は、単層構造とされているが、このような構成には限られず、積層構造としてもよい。また、積層構造とする場合において、各層の構成材料を同じものとしてもよいし、異なるものとしてもよい。
【００２６】
本実施形態において加熱用配線５０のコーナー部５０Ａの上面には、加熱用配線５０が有する電気伝導率よりも大きい電気伝導率を有する金属部材Ｍが設けられている。なお、電気伝導率は、材料の種類によって一意に定まる値である。具体的には、加熱用配線５０のコーナー部５０Ａの上面には、複数の金属部材Ｍがドット状に設けられている。この金属部材Ｍとしては、例えば、アルミニウム膜、アルミニウム合金膜、クロム膜とアルミニウム膜との積層膜、またはクロム膜とアルミニウム合金膜との積層膜が挙げられるが、ＩＴＯ（加熱用配線５０）との密着性の観点から、クロム膜とアルミニウム膜との積層膜（クロムをＩＴＯとアルミニウムとの間に配置）またはクロム膜とアルミニウム合金膜との積層膜（クロムをＩＴＯとアルミニウム合金との間に配置）が好ましい。なお、金属部材Ｍの形成方法としては、例えば、スパッタリング法、蒸着法、化学気相成長（ＣＶＤ）法等が挙げられる。
【００２７】
このように、加熱用配線５０のコーナー部５０Ａの上面には、加熱用配線５０が有する電気伝導率よりも大きい電気伝導率を有する金属部材Ｍが設けられている。このため、加熱用配線５０を流れる電流が、金属部材Ｍへ流れることになる。すなわち、コーナー部５０Ａの抵抗値を小さくすることができる。そのため、コーナー部５０Ａの発熱量を抑制することができる。この結果、コーナー部５０Ａにおいて加熱用配線５０の劣化を抑制することができる。また、コーナー部５０Ａに複数の金属部材Ｍがドット状に設けられているので、コーナー部５０Ａの抵抗値が所望の抵抗値となるように、液晶シャッタＸ１の製造者等において容易に調整することができる。
【００２８】
ところで、電流は抵抗値が小さい最短経路を流れようとするため、コーナー部５０Ａの外側領域ＥＯに金属部材Ｍが設けられていない態様では、コーナー部５０Ａの外側領域ＥＯと比べて、コーナー部５０Ａの内側領域ＥＩの発熱量が大きくなる。なお、外側領域ＥＯは、内側領域ＥＩよりも外側に位置する領域である。すなわち、コーナー部５０Ａの内側領域ＥＩは、コーナー部５０Ａの外側領域ＥＯと比べて、より多くの電流が流れるからである。このため、図３に示すように、コーナー部５０Ａの上面における外側領域ＥＯには、複数の金属部材Ｍがドット状に設けられていることが好ましい。特に、コーナー部５０Ａの上面における外側領域ＥＯに設けられた金属部材Ｍの数は、コーナー部５０Ａの上面における内側領域ＥＩに設けられた金属部材Ｍの数よりも多いことが好ましい。このようにすると、コーナー部５０Ａの外側領域ＥＯの抵抗値は、コーナー部５０Ａの内側領域ＥＩの抵抗値よりも小さくなる。このため、コーナー部５０Ａの内側領域ＥＩに集中していた電流が、コーナー部５０Ａの外側領域ＥＯに流れ易くなる。そのため、コーナー部５０Ａの内側領域ＥＩの発熱量を抑制することができる。この結果、コーナー部５０Ａの内側領域ＥＩにおいて特に加熱用配線５０の劣化を抑制することができる。
【００２９】
なお、図３では、コーナー部５０Ａの内側領域ＥＩと外側領域ＥＯとの境界を点線で示している。ここで、コーナー部５０Ａの内側領域ＥＩおよび外側領域ＥＯの範囲については、図３に示す範囲に限定されるものではない。例えば、図３に示す範囲の代わりに、図３に示す指示点Ｐ１とＰ２とを結んだ線における、当該線の内側（シャッタ用電極４０側）を内側領域ＥＩ、当該線の外側を外側領域ＥＯとしてもよい。
【００３０】
配向膜６０，６１は、規則性が小さい液晶材ＬＣの液晶分子を所定方向に配向させる役割を担うものである。本実施形態において配向膜６０は、シャッタ用電極４０の第１電極部４１等が形成された第１基板１０の上面１０ａ側に形成されている。本実施形態において配向膜６１は、シャッタ用電極４０の第２電極部４２等が形成された第２基板２０の下面２０ａ側に形成されている。配向膜６０，６１の構成材料としては、ポリイミド樹脂等が挙げられる。また、配向膜６０，６１の厚さは、必要に応じて適宜設定すればよいが、例えば、０．０２μｍ〜０．１μｍに設定される。なお、本実施形態において配向膜６０，６１は、液晶材ＬＣが存在する範囲全体に形成されているが、このような構成には限られず、少なくとも第１電極部４１および第２電極部４２の全体が被覆されるように形成されていればよい。
【００３１】
偏光素子７０，７１は、所定の振動方向の光を選択的に透過させる役割を担うものである。偏光素子７０，７１の構成材料としては、ポリビニルアルコール（ＰＶＡ）にヨウ素あるいは染料等を染み込ませたものを一軸方向に延伸したフィルム等が挙げられる。本実施形態において偏光素子７０は、第１基板１０の下面１０ｂ側に形成されている。本実施形態において偏光素子７１は、第２基板２０の上面２０ｂ側に形成されている。また、本実施形態において偏光素子７０は、偏光素子７１の軸方向（この軸方向と平行な振動方向の光を選択的に透過させる）に対して実質的に直交するように配置されている。このような構成によると、偏光素子７０，７１を透過する光のシャッタ機能を発揮するうえで好適である。なお、偏光素子７０と第１基板１０との間や偏光素子７１と第２基板２０との間には、必要に応じて位相差フィルムなどを配置してもよい。
【００３２】
以上のように、本実施形態に係る液晶シャッタＸ１は、液晶材ＬＣに熱を供給するための加熱用配線５０を有しているため、低温環境化においても液晶材ＬＣを所定温度まで加熱することができ、ひいては低温環境下における液晶材ＬＣの応答速度の低下を緩和することができる。また、本実施形態に係る液晶シャッタＸ１は、加熱用配線５０のコーナー部５０Ａの上面に複数の金属部材Ｍがドット状に設けられているため、加熱用配線５０のコーナー部５０Ａの発熱を抑制することができる。この結果、本実施形態に係る液晶シャッタＸ１は、コーナー部５０Ａにおいて加熱用配線５０の劣化を抑制することができる。
【００３３】
なお、上記では、加熱用配線５０のコーナー部５０Ａの上面には、加熱用配線５０が有する抵抗値よりも小さい抵抗値を有する金属部材Ｍが設けられている例について説明したが、これに限定されない。すなわち、加熱用配線５０のコーナー部５０Ａの上面には、金属部材Ｍの代わりに、例えば、導電性セラミック、あるいは導電性カーボン等の導電部材が設けられていてもよい。また、上記では、加熱用配線５０のコーナー部５０Ａの上面には、複数の金属部材Ｍがドット状に設けられている例について説明したが、これに限定されない。例えば、加熱用配線５０のコーナー部５０Ａの上面には、当該コーナー部５０Ａにおける加熱用配線５０の全部または一部を覆うように、金属膜（導電部材）が積層されていてもよい。なおこの場合、金属膜の形状や配置位置は特に限定されるものではない。すなわち、加熱用配線５０のコーナー部５０Ａの上面には、加熱用配線５０が有する抵抗値よりも小さい抵抗値を有する導電部材が設けられていれば、任意である。
【００３４】
図５は、本実施形態に係る液晶シャッタＸ１を備えるカメラモジュールＹの概略構成を示す断面図である。カメラモジュールＹは、本実施形態に係る液晶シャッタＸ１と、光学レンズ系９０と、受光素子９１と、筐体９２とを備えている。
【００３５】
光学レンズ系９０は、被写体からの光を受光素子９１に集光する役割を担うものである。本実施形態において光学レンズ系９０は、１つのレンズにより構成されているが、透過する光の収差を補正する目的などにより更に他のレンズを追加して複数のレンズによる構成としてもよい。光学レンズ系９０を構成するレンズの構成材料としては、例えば、ガラス、あるいはアクリル樹脂およびポリカーボネート樹脂等の透明樹脂が挙げられる。
【００３６】
受光素子９１は、光学レンズ系９０により集光された光を電気信号等に変換する役割を担うものである。受光素子９１としては、例えば、ＣＣＤイメージセンサ、ＣＭＯＳイメージセンサ等の光電変換素子が挙げられる。
【００３７】
筐体９２は、本実施形態に係る液晶シャッタＸ１、光学レンズ系９０、および受光素子９１を収容する役割を担うものである。筐体９２の構成材料としては、例えば、ポリカーボネート樹脂等の樹脂、Ａｌ等の金属、ステンレス（ＳＵＳ）等の合金が挙げられる。
【００３８】
以上のように、本実施形態に係るカメラモジュールＹは、本実施形態に係る液晶シャッタＸ１を備えていることから、上述した液晶シャッタＸ１と同様の効果を享受することができる。
【００３９】
[実施の形態２]
図６は、本発明の第２の実施形態に係る液晶シャッタＸ２の概略構成を示す平面図である。図７は、図６に示す液晶シャッタＸ２を示す断面図であり、（ａ）は図６のＩＩａ−ＩＩａ線に沿った断面図であり、（ｂ）は図６のＩＩｂ−ＩＩｂ線に沿った断面図であり、（ｃ）は図６のＩＩｃ−ＩＩｃ線に沿った断面図である。図８は、図６に示す液晶シャッタＸ２の第１基板１０側の構成を示す平面図であり、図９は、図６に示す液晶シャッタＸ２の第２基板２０側の構成を示す平面図である。
【００４０】
すなわち、本実施形態に係る液晶シャッタＸ２は、加熱用配線５０に代えて加熱用配線５１を採用する点において液晶シャッタＸ１と異なる。液晶シャッタＸ２の他の構成については、液晶シャッタＸ１に関して上述したのと同様である。
【００４１】
加熱用配線５１は、液晶材ＬＣに熱を供給する役割を担う部材である。本実施形態において加熱用配線５１は、平面視コ字状のコーナー部５１Ａを有する構成とされている。また、加熱用配線５１は、第１基板１０の上面１０ａ側に位置しており、シャッタ用電極４０の第１電極部４１（シャッタ有効範囲）を取り囲むように形成されている。
【００４２】
本実施形態において加熱用配線５１は、第１抵抗膜５１１と第２抵抗膜５１２との積層構造である。第１抵抗膜５１１は、第１基板１０の上面１０ａに位置している。第１抵抗膜５１１の構成材料としては、例えば、ＩＴＯ等が挙げられる。また、第２抵抗膜５１２は、第１抵抗膜５１１上に位置しており、コーナー部５１Ａの上面における内側領域ＥＩには、複数の切欠部Ｃがドット状に形成されている。第２抵抗膜５１２の構成材料としては、例えば、アルミニウム膜、アルミニウム合金膜、クロム膜とアルミニウム膜との積層膜、またはクロム膜とアルミニウム合金膜との積層膜が挙げられる。
【００４３】
このように、加熱用配線５１のコーナー部５１Ａの上面における内側領域ＥＩには、複数の切欠部Ｃがドット状に形成されている。このため、コーナー部５１Ａの内側領域ＥＩに流れるべき電流が、切欠部Ｃによって阻まれることになり、この阻まれた電流が、コーナー部５１Ａの外側領域ＥＯへ流れることになる。すなわち、コーナー部５１Ａの内側領域ＥＩに集中すべき電流が、コーナー部５１Ａの外側領域ＥＯへ流れることになる。そのため、コーナー部５１Ａの内側領域ＥＩの発熱量を抑制することができる。この結果、コーナー部５１Ａの内側領域ＥＩにおいて特に加熱用配線５１の劣化を抑制することができる。また、コーナー部５１Ａに複数の切欠部Ｃがドット状に形成されているので、コーナー部５１Ａの抵抗値が所望の抵抗値となるように、液晶シャッタＸ２の製造者等において容易に調整することができる。
【００４４】
以上のように、本実施形態に係る液晶シャッタＸ２は、液晶材ＬＣに熱を供給するための加熱用配線５１を有しているため、低温環境化においても液晶材ＬＣを所定温度まで加熱することができ、ひいては低温環境下における液晶材ＬＣの応答速度の低下を緩和することができる。また、本実施形態に係る液晶シャッタＸ２は、加熱用配線５１のコーナー部５１Ａの上面における内側領域ＥＩに複数の切欠部Ｃがドット状に形成されているため、加熱用配線５１のコーナー部５１Ａの内側領域ＥＩの発熱を抑制することができる。この結果、本実施形態に係る液晶シャッタＸ２は、コーナー部５１Ａの内側領域ＥＩにおいて加熱用配線５１の劣化を抑制することができる。
【００４５】
なお、上記では、加熱用配線５１のコーナー部５１Ａの上面における内側領域ＥＩには、複数の切欠部Ｃがドット状に形成されている例について説明したが、これに限定されない。例えば、加熱用配線５１のコーナー部５１Ａの上面における内側領域ＥＩには、切欠部Ｃが１つあるいは複数個形成されていてもよい。すなわち、加熱用配線５１のコーナー部５１Ａの上面における内側領域ＥＩには、当該コーナー部５０Ａの発熱を抑制するための切欠部Ｃが形成されていれば、ドット状に限らず、任意である。
【００４６】
また、上記では、本発明の第１の実施形態に係る液晶シャッタＸ１を備えたカメラモジュールＹの例について説明したが、当該液晶シャッタＸ１に代えて、本発明の第２の実施形態に係る液晶シャッタＸ２を採用してもよい。
【００４７】
すなわち、本発明は上述した実施形態に限定されるものではなく、請求項に示した範囲で種々の変更が可能である。つまり、請求項に示した範囲で適宜変更した技術的手段を組み合わせて得られる実施形態についても本発明の技術的範囲に含まれる。
【産業上の利用可能性】
【００４８】
以上のように、本発明は、加熱用配線のコーナー部の発熱を抑制することができる液晶シャッタ、またはこれを備えたカメラモジュールとして有用である。
【符号の説明】
【００４９】
Ｘ１，Ｘ２  液晶シャッタ
Ｙ  カメラモジュール
ＬＣ  液晶材
Ｍ  金属部材（導電部材）
Ｃ  切欠部
１０  第１基板
２０  第２基板
４０  シャッタ用電極
４１  第１電極部
４２  第２電極部
４３  第１配線導体
４４  第２配線導体
５０，５１  加熱用配線
５０Ａ，５１Ａ  コーナー部
５１１  第１抵抗膜
５１２  第２抵抗膜
９０  光学レンズ系
【図１】
2010276826.tif 000003
【図２】
2010276826.tif 000004
【図３】
2010276826.tif 000005
【図４】
2010276826.tif 000006
【図５】
2010276826.tif 000007
【図６】
2010276826.tif 000008
【図７】
2010276826.tif 000009
【図８】
2010276826.tif 000010
【図９】
2010276826.tif 000011